(57)【要約】  それぞれが２つのローラのうちの１つを受け入れる筐体の２つの部分を生じさせるように付勢部材の力を加えることにより、歯ブラシホルダのための効果的な組立て品が実現される。このようにして、ローラ作用のためと筐体を歯ブラシヘッドの周囲で閉じた状態に維持するための両方の目的に付勢作用を使用することができる。【選択図】図１Ａ
2018511373.tif 000002
【特許請求の範囲】
【請求項１】
ブリッスル（２４）付きのヘッド（２４）とハンドル（２１）とを有する個別の歯ブラシ（２０）を保持するための歯ブラシホルダ（１０）であって、
前記ヘッド（２４）を受け入れている間は分離し、前記ヘッド（２４）が前記筐体（１２）内に収納されると一体になるように、互いに対して関節式に連接された相補的筐体部品（１２Ａ，１２Ｂ）を含む筐体（１２）であって、衛生目的のために前記ブリッスル（２６）と前記筐体（１２）の内側との間に間隔をあけた状態で前記ヘッド（２４）を格納する寸法とされた前記筐体（１２）と、
前記ヘッド（２４）の前記筐体（１２）への挿入および前記筐体（１２）からの取り外し時に前記ヘッド（２４）を誘導するために前記筐体部品（１２Ａ、１２Ｂ）と協働するガイド部材（１７）と、
前記筐体部品（１２、１２Ｂ）に付勢して閉じさせるために前記筐体部品（１２Ａ、１２Ｂ）と連係する付勢部材（１４）とを含み、前記ガイド部材（１７）は、前記筐体部品（１２Ａ、１２Ｂ）を前記付勢部材（１４）の作用に対抗して分離するように強制することによって前記ヘッド（２４）の前記挿入を容易にする、歯ブラシホルダ（１０）。
【請求項２】
前記ヘッド（２４）が前記筐体（１２）内に挿入されると、前記ガイド部材（１７）と、前記付勢部材（１４）によって付勢される前記筐体部品（１２Ａ、１２Ｂ）とが、前記ハンドル（２１）の一部を前記筐体（１２）の外部に残した状態で前記ヘッド（１４）を前記筐体（１２）内に保持する、請求項１に記載のホルダ。
【請求項３】
前記ガイド部材（１７）は、前記ヘッド（２４）を誘導するために前記筐体部品（１２Ａ、１２Ｂ）のそれぞれに取り付けられたローラ（１７Ａ、１７Ｂ）を含む、請求項１に記載のホルダ。
【請求項４】
各ローラ（１７Ａ、１７Ｂ）が前記ヘッド（２４）を誘導するためのくぼみを呈する、請求項１に記載のホルダ。
【請求項５】
各ローラが凹面形状である、請求項４に記載のホルダ。
【請求項６】
前記筐体部品（１２Ａ、１２Ｂ）はほぼ類似した形態である、請求項１に記載のホルダ。
【請求項７】
前記筐体部品（１２Ａ、１２Ｂ）の少なくとも１つが、壁面取り付け用または平面上に載置するために平坦な側面を有するように構成された、請求項１に記載のホルダ。
【請求項８】
前記筐体部品（１２Ａ、１２Ｂ）のうちの少なくとも１つが曲面を有するように構成された、請求項１に記載のホルダ。
【請求項９】
前記筐体部品（１２Ａ、１２Ｂ）は、前記筐体部品（１２Ａ、１２Ｂ）間の分割線における間隙を閉鎖するための噛み合いフランジ（１９Ａ）を含む、請求項１から６のいずれか一項に記載のホルダ。
【請求項１０】
前記筐体部品は、前記ホルダの出入り時に開口部を閉鎖するための少なくとも１つのフランジ（１９Ｂ）を含む、請求項１から７のいずれか一項に記載のホルダ。
【請求項１１】
前記付勢部材（１４）は、前記筐体部品を一緒に付勢するために前記筐体部品（１２Ａ、１２Ｂ）に接続可能なクリップを含む、請求項１から９のいずれか一項に記載のホルダ。
【請求項１２】
前記付勢部材（１４）は、前記ホルダの分解および洗浄を容易にするために、前記筐体部品（１２Ａ、１２Ｂ）から解放可能であるように前記筐体部品と協働する、請求項１０に記載のホルダ。
【請求項１３】
前記クリップを前記筐体部品（１２Ａ、１２Ｂ）から解放するための解放ボタン（１６）を含む、請求項１１に記載のホルダ。
【請求項１４】
前記ガイド部材（１７）は、前記筐体（１２）内部で前記筐体（１２）と前記ブリッスル（２４）との接触につながる可能性のある前記歯ブラシヘッド（２４）のねじりを防止するように構成された、請求項１から１３のいずれか一項に記載のホルダ。
【発明の詳細な説明】
【技術分野】
【０００１】
本願は、歯ブラシホルダに関する。
【背景技術】
【０００２】
歯ブラシヘッドを保護する歯ブラシホルダが、２０１４年５月３０日に公開された出願人のＰＣＴ特許出願ＷＯ２０１４／０７８９５３号公報（モーフェット等）で知られている。その特許出願の多くの実施形態では、付勢アームの端部に一対の並置ローラが設けられる。ローラは、保管用の筐体への歯ブラシヘッドの容易な挿入と取り外しとを可能にする。一部の実施形態では、ローラは、挿入時および取り外し時に歯ブラシヘッドの側部を位置合わせされた状態または誘導された状態に維持するように凹面形状とされ、挿入、保管および／または取り外し時に、歯ブラシがねじれ、その結果として歯ブラシのブリッスルがホルダまたはその筐体と接触する可能性が低くなるという利点を有する。
【発明の概要】
【発明が解決しようとする課題】
【０００３】
米国特許第２，９３７，９１０号（ランダ）は、歯ブラシのネックを把持する一対の顎部を備えた歯ブラシホルダを開示している。顎部は、互いに離隔された２本の円筒状のピンを含み、歯ブラシが挿入または取り外しされるときに収縮する弾力性の側帯によって所定位置に取り付けられる。これらの弾力性側帯は、側帯間に歯ブラシの挿入および取り外しのための通路を形成する。しかし、側帯は、歯ブラシヘッドに直接接触し、これは、歯ブラシヘッドがホルダの内部に擦れることによって、ランダのホルダの内部が汚染されるため、衛生上の問題につながる。
【課題を解決するための手段】
【０００４】
本発明によると、ブリッスル付きのヘッドとハンドルとを有する個別の歯ブラシを保持するための歯ブラシホルダであって、前記ヘッドを受け入れているときには分離し、前記ヘッドが前記筐体内に保管されているときには一体となるように、互いに対して関節式に連接された相補的筐体部品を含む筐体であって、衛生目的のために前記ブリッスルと前記筐体の内側との間に間隔をあけた状態で、前記ヘッドを格納する寸法とされた筐体と、前記筐体への前記ヘッドの挿入および取り出し時に前記ヘッドを誘導するために前記筐体部品と協働するガイド部材と、前記筐体部品が閉じられるように前記筐体部品に付勢するために前記筐体部品と連係する付勢部材とを含み、前記ガイド部材は、付勢部品の作用に対抗して前記筐体部品を強制的に分離させることによって前記ヘッドの前記挿入を容易にする、歯ブラシホルダが提供される。
【０００５】
実施形態では、歯ブラシホルダは、前記ヘッドが前記筐体内に挿入されるときに、前記ガイド部材と、前記付勢部材によって付勢されている前記筐体部品とが、前記ハンドルの一部を前記筐体外部に残した状態で前記ヘッドを前記筐体内に保持するように構成される。
【０００６】
実施形態では、前記ガイド部材は、前記ヘッドを誘導するために前記筐体部品のそれぞれに取り付けられたローラを含む。これにより、前記付勢部材の力をローラ作用のためと筐体を歯ブラシヘッドの周囲で閉じた状態に維持するための両方の目的に使用することができる。
【０００７】
本明細書で開示される様々な実施形態は、添付図面を参照しながら以下の詳細な説明を読めば、よりよく理解されるであろう。
【図面の簡単な説明】
【０００８】
【図１Ａ】歯ブラシホルダの一実施形態を構成する様々な部品を歯ブラシとともに示す分解斜投影図である。
【図１Ｂ】歯ブラシホルダの一実施形態を構成する様々な部品を歯ブラシとともに示す別の分解斜投影図である。
【図２Ａ】歯ブラシヘッドがホルダに挿入されようとしているときの図１Ａのホルダの正面図であり、筐体部品内部のローラの輪郭を示す図である。
【図２Ｂ】歯ブラシヘッドが筐体を部分的に拡大した状態でホルダに挿入されつつあるときの図１Ａのホルダの正面図であり、筐体部品内部のローラの輪郭を示す図である。
【図２Ｃ】歯ブラシヘッドが完全に挿入され、筐体が歯ブラシヘッドの周囲で閉じられた状態の、図２Ａと同様の正面図である。
【図３】歯ブラシホルダの一実施形態を歯ブラシとともに示す上面斜視図である。
【図４】図３に示す歯ブラシホルダを歯ブラシとともに示す側面図である。
【図５】図３に示す歯ブラシホルダを歯ブラシとともに示す底面斜視図である。
【発明を実施するための形態】
【０００９】
工場から出荷されたばかりの歯ブラシを最初に使用するとき、歯ブラシは清潔で安全に使用できるという快適感を与える。一旦使用すると、歯ブラシは口腔細菌および口腔内に存在するその他の細菌と接触している。歯ブラシをすすぐと多少の衛生感を与えるが、露出した歯ブラシヘッドのブリッスルが口腔からの残留バクテリアまたは細菌を含んでいる可能性があり、空中細菌も付着させる可能性があるという消えない感覚がある。
【００１０】
歯ブラシの保管において快適感と安心感をユーザに与えることとしては、ブリッスルを空中汚染物質にさらさず、ブリッスルを他の物体に物理的に接触させないように保護して歯ブラシを保管する方法を提供することがある。
【００１１】
図１Ａおよび図１Ｂに示すように、歯ブラシ２０は、ブリッスル２６を支持するヘッド部２４にハンドル２１を接続するネック部２２を有する標準的歯ブラシである。図の歯ブラシは従来の設計のものであるが、ホルダ１０を汎用に、すなわち、市販の歯ブラシの大多数に適合するようにしようとするのではなく、ホルダ１０の使用を特定の歯ブラシ設計に限定することも可能である。
【００１２】
好ましい一実施形態によると、ホルダ１０は、ブリッスル２６を異物との接触から保護するための筐体１２を形成する、図２Ａに示す２つの筐体部品１２Ａおよび１２Ｂを含む。図の実施形態では、筐体部品１２Ａと１２Ｂとはほぼ同様の形状である。あるいは、少なくとも１つの部品１２Ａ、１２Ｂが、壁面取り付け用または平らな表面上に載置するための平坦な側面を有する部分を有し、少なくとも１つの部品１２Ａ、１２Ｂの別の部分は、歯ブラシ２０を囲むように曲面を有するような形状としてもよい。ほぼ同様の形状を使用することは、洗面台、旅行鞄または引出しに収納することができるコンパクトなホルダ１０に好都合である。
【００１３】
図の実施形態における筐体外郭または部品１２Ａおよび１２Ｂは、ヘッド２４およびブリッスル２６の周囲の間隙または開口を最小限にして閉じる構造とされる。噛み合いフランジ１９Ａが、外郭１２Ａと１２Ｂとの間の分割線に沿った間隙を閉鎖し、一方、噛み合いフランジ１９Ｂが、ホルダ１０に入る時にネック２２の周囲の間隙を閉鎖する。ヘッド２４の挿入によって筐体部品１２Ｂと１２Ｂとが十分に分離してブリッスル２６が筐体に出入りするための通路をあけるため、ブリッスル２６は、フランジ１９Ｂの上部と接触しないことがわかるであろう。部品１２Ａおよび１２Ｂは、衛生目的のためにブリッスル２６が筐体１２の内部に接触しないような形状および大きさとされるので有利である。実際に、筐体１２内にヘッド２４が収納されると、筐体１２の内部の汚染または汚れを避けるように、ブリッスル２６と筐体１２の内側との間に間隔があけられる。
【００１４】
筐体部品１２Ａおよび１２Ｂの付勢は、図の実施形態では、単一のクリップ１４等の付勢部材によって行われる。他のばね機構または付勢機構も企図することができ、筐体部品を互いに対して関節式に連接するその他の機構も企図することができる。
【００１５】
クリップ部材１４は、クリップ部材の各端部に、突起１５Ｂを係合する凹部１５Ａの形態のロック機構を備える。クリップ１４を解放するために、ボタン１６を押し下げて凹部１５Ａから突起１５Ｂを外し、クリップ１４を引き離させることができる。クリップ１４が突起を有し、部品１２Ａおよび１２Ｂが対応する凹部を有することも可能であることがわかるであろう。同様に、ユーザがクリップ端部を一方の部品１２Ａから引き離してクリップ１４を外すことができるようにするための、引き上げタップをクリップに備えることもできる。クリップ１４の適合する解放機構も同様に任意選択であるが、解放機構は、ホルダの内部を洗浄するためにユーザがホルダ１０を容易に分解する手段を提供するために使用される。
【００１６】
筐体１２の内部への挿入および取り外し時にヘッド２４を誘導するために、筐体部品１２Ａおよび１２Ｂは、その上に取り付けられたガイド部材１７と協働する。ガイド部材１７は、それぞれ筐体部品１２Ａおよび１２Ｂのそれぞれに取り付けられたガイドローラ１７Ａおよび１７Ｂを含んでもよい。例えば図１Ａおよび図１Ｂの１８に示すものなどの適合する軸受が設けられる。ローラ１７Ａおよび１７Ｂは、ヘッド２４を誘導するときにヘッド２４の側部を受け入れ、ヘッド２４がホルダ１０に挿入および取り外しされるときにヘッド２４のねじれを防ぐための、陥凹面などのくぼみを有してもよい。図示されている以外のローラ形状および設計も考えられるが、ローラ形状は、挿入および取り外し時にヘッドをうまく誘導するために、ヘッド２４の形状を考慮に入れる必要がある可能性がある。例えば、ローラ１７Ａおよび１７Ｂは、静止位置ではまっすぐであるが、ヘッド２４が筐体１２に挿入または筐体１２から取り外しされるときには撓んで陥凹状のくぼみなどのくぼみを呈するように、柔軟性があってもよい。
【００１７】
また、歯ブラシヘッド２４の側部が滑らかなプラスチック製である場合、ローラは、付勢部材１４の作用に対抗して部品１２Ａと図１２Ｂとを分離させるようにヘッド２４の摺動式挿入を可能にする適合する固定されたガイドに単に置き換えることができると考えられる。滑らかなプラスチック材料よりも摩擦がはるかに高くなると考えられる、より尖りのない形状のヘッド２４またはゴム引き材料製のヘッドに対しては、各図に示された形状とされたローラ設計よりも耐性がないため、これには材料と、ヘッド２４の形状と、ガイド部材との間の何らかの連係が必要である。
【００１８】
図１Ａおよび図１Ｂに示す部品は、プラスチックか金属かを問わず、任意の適合する材料製とすることができる。
【００１９】
図２Ａおよび図２Ｂに、２つの筐体部品１２Ａおよび１２Ｂが最初は閉じられており、次に、ホルダ１０への歯ブラシヘッド２４の挿入時にクリップ１４の作用に対抗して分離される様子を示す。部品１２Ａおよび１２Ｂは、それぞれの最上部の回転中心を中心として関節式に連接するように設計される。図２Ｂに示すように、ヘッド２４が完全に挿入されると、クリップ１４が部品１２Ａおよび１２Ｂを筐体１２を形成するように確実に閉じさせた状態で、筐体部品１２Ａおよび１２Ｂは、ヘッド２４の周囲で完全に閉鎖される。
【００２０】
図の筐体１２は、歯ブラシヘッド２４の周囲に比較的ぴったりと合わさるものの筐体１２の内部にブリッスル２６が接触しないような形状とされているが、筐体１２は、より多様な歯ブラシの型および設計に対応するように大きめにしてもよいことがわかるであろう。
【００２１】
図３から図５を参照すると、歯ブラシ２０が中に挿入された状態の携帯型歯ブラシホルダ１０の一実施形態の示す異なる図が示されている。
【００２２】
ローラの詳細およびホルダのその他の構成および詳細については、２０１３年９月２６日に出願され、２０１４年５月３０日にＷＯ２０１４／０７８９５３号として公開された出願人の（米国を指定する）ＰＣＴ特許出願ＰＣＴ／ＣＡ２０１３／０５０７３３号に記載されており、参照によりその内容が本明細書に完全に記載されているかのように本明細書に組み込まれる。
【００２３】
本発明についてその好ましい実施形態を参照しながら図示し、説明したが、添付の特許請求の範囲によって定義される本発明の趣旨および範囲から逸脱することなく、形態および詳細の様々な変更が可能であることが、当業者にはわかるであろう。
【図１Ａ】
2018511373.tif 000003
【図１Ｂ】
2018511373.tif 000004
【図２Ａ】
2018511373.tif 000005
【図２Ｂ】
2018511373.tif 000006
【図２Ｃ】
2018511373.tif 000007
【図３】
2018511373.tif 000008
【図４】
2018511373.tif 000009
【図５】
2018511373.tif 000010
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ブリッスル（２４）付きのヘッド（２４）とハンドル（２１）とを有する個別の歯ブラシ（２０）を保持するための歯ブラシホルダ（１０）であって、
前記ヘッド（２４）を受け入れている間は分離し、前記ヘッド（２４）が前記筐体（１２）内に収納されると一体になるように、互いに対して関節式に連接された相補的筐体部品（１２Ａ，１２Ｂ）を含む筐体（１２）であって、衛生目的のために前記ブリッスル（２６）と前記筐体（１２）の内側との間に間隔をあけた状態で前記ヘッド（２４）を格納する寸法とされた前記筐体（１２）と、
前記ヘッド（２４）の前記筐体（１２）への挿入および前記筐体（１２）からの取り外し時に前記ヘッド（２４）を誘導するために前記筐体部品（１２Ａ、１２Ｂ）と協働するガイド部材（１７）と、
前記筐体部品（１２、１２Ｂ）に付勢して閉じさせるために前記筐体部品（１２Ａ、１２Ｂ）と連係する付勢部材（１４）とを含み、前記ガイド部材（１７）は、前記筐体部品（１２Ａ、１２Ｂ）を前記付勢部材（１４）の作用に対抗して分離するように強制することによって前記ヘッド（２４）の前記挿入を容易にし、
前記付勢部材（１４）は、前記筐体部品を一緒に付勢するために前記筐体部品（１２Ａ、１２Ｂ）に接続可能なクリップを含む、歯ブラシホルダ（１０）。
【請求項２】
前記ヘッド（２４）が前記筐体（１２）内に挿入されると、前記ガイド部材（１７）と、前記付勢部材（１４）によって付勢される前記筐体部品（１２Ａ、１２Ｂ）とが、前記ハンドル（２１）の一部を前記筐体（１２）の外部に残した状態で前記ヘッド（１４）を前記筐体（１２）内に保持する、請求項１に記載のホルダ。
【請求項３】
前記ガイド部材（１７）は、前記ヘッド（２４）を誘導するために前記筐体部品（１２Ａ、１２Ｂ）のそれぞれに取り付けられたローラ（１７Ａ、１７Ｂ）を含む、請求項１に記載のホルダ。
【請求項４】
各ローラ（１７Ａ、１７Ｂ）が前記ヘッド（２４）を誘導するためのくぼみを呈する、請求項１に記載のホルダ。
【請求項５】
各ローラが凹面形状である、請求項４に記載のホルダ。
【請求項６】
前記筐体部品（１２Ａ、１２Ｂ）はほぼ類似した形態である、請求項１に記載のホルダ。
【請求項７】
前記筐体部品（１２Ａ、１２Ｂ）の少なくとも１つが、壁面取り付け用または平面上に載置するために平坦な側面を有するように構成された、請求項１に記載のホルダ。
【請求項８】
前記筐体部品（１２Ａ、１２Ｂ）のうちの少なくとも１つが曲面を有するように構成された、請求項１に記載のホルダ。
【請求項９】
前記筐体部品（１２Ａ、１２Ｂ）は、前記筐体部品（１２Ａ、１２Ｂ）間の分割線における間隙を閉鎖するための噛み合いフランジ（１９Ａ）を含む、請求項１から６のいずれか一項に記載のホルダ。
【請求項１０】
前記筐体部品は、前記ホルダの出入り時に開口部を閉鎖するための少なくとも１つのフランジ（１９Ｂ）を含む、請求項１から７のいずれか一項に記載のホルダ。
【請求項１１】
前記付勢部材（１４）は、前記ホルダの分解および洗浄を容易にするために、前記筐体部品（１２Ａ、１２Ｂ）から解放可能であるように前記筐体部品と協働する、請求項１に記載のホルダ。
【請求項１２】
前記クリップを前記筐体部品（１２Ａ、１２Ｂ）から解放するための解放ボタン（１６）を含む、請求項１１に記載のホルダ。
【請求項１３】
前記ガイド部材（１７）は、前記筐体（１２）内部で前記筐体（１２）と前記ブリッスル（２４）との接触につながる可能性のある前記歯ブラシヘッド（２４）のねじりを防止するように構成された、請求項１から１２のいずれか一項に記載のホルダ。
【手続補正２】
【補正対象書類名】明細書
【補正対象項目名】００２３
【補正方法】変更
【補正の内容】
【００２３】
本発明についてその好ましい実施形態を参照しながら図示し、説明したが、特許請求の範囲は実施例に記載されているこれらの好ましい実施形態によって限定されるべきではなく、全体として説明と矛盾のない最も広い解釈が与えられるべきであることが、当業者にはわかるであろう。
【国際調査報告】
2018511373.tif 000011
2018511373.tif 000012